(57)【要約】【課題】ターミナルアダプタが存在する状態であっても、容易に回線種別設定でき、音質の劣化を抑制できる通信装置を提供する。【解決手段】親機は、ターミナルアダプタに接続されているかどうかを検出する検出手段を備え、本装置の設置時または設置後であってもターミナルアダプタに接続されているか、またはアナログ電話回線網の局交換機に直接接続されているかを検出して回線種別設定を行い、その結果に応じて信号増幅度等の設定を行う。【選択図】図６
2014216889.tif 000002
【特許請求の範囲】
【請求項１】
通信回線を介して通信する通信装置であって、
前記通信回線側へ複数の種別のダイヤル信号を送信し、所定数以上の種別のダイヤル信号が正常に受け付けられた場合には、前記通信回線に接続されたターミナルアダプタが有ると判定し、前記所定数未満の種別のダイヤル信号が正常に受け付けられた場合には、前記通信回線に接続されたターミナルアダプタが無いと判定する回線種別判定処理を実行する回線種別判定部と、
前記回線種別判定処理による判定結果に応じて、前記通信回線側へ送出する信号又は前記通信回線側から入来する信号の信号レベルを制御する信号レベル調整部と、
を備える通信装置。
【請求項２】
請求項１に記載の通信装置であって、
前記回線種別判定部は、前記通信回線側へ複数の種別のダイヤル信号を送信し、全種別のダイヤル信号が正常に受け付けられた場合には、前記ターミナルアダプタが有ると判定し、少なくとも一つの種別のダイヤル信号が正常に受け付けられない場合には、前記ターミナルアダプタは無いと判定する通信装置。
【請求項３】
請求項１または２に記載の通信装置であって、
前記回線種別判定部は、ダイヤル信号として、ＤＴＭＦ信号、１０パルス毎秒方式のパルス信号、及び２０パルス毎秒方式のパルス信号を前記通信回線側へ送信し、各ダイヤル信号に対する各応答信号に基づいて、全種別のダイヤル信号が正常に受け付けられたか否かを判定する通信装置。
【請求項４】
請求項１ないし３のいずれか１項に記載の通信装置であって、
商用電源より得た電力を供給するための電源部を有し、
前記回線種別判定部は、前記電源部により電力が投入されたことが検出された場合、前記回線種別判定処理を実行する通信装置。
【請求項５】
請求項１ないし３のいずれか１項に記載の通信装置であって、
前記回線種別判定部は、当該通信装置への前記通信回線の接続が検出された場合、前記回線種別判定処理を実行する通信装置。
【請求項６】
請求項１ないし３のいずれか１項に記載の通信装置であって、
前記回線種別判定部は、回線種別判定モードが所定のモードに設定された場合、前記回線種別判定処理を実行し、前記回線種別判定処理による判定結果を表示部に表示させる通信装置。
【請求項７】
通信回線を介して通信する通信装置における通信方法であって、
前記通信回線側へ複数の種別のダイヤル信号を送信し、所定数以上の種別のダイヤル信号が正常に受け付けられた場合には、前記通信回線に接続されたターミナルアダプタが有ると判定し、前記所定数未満の種別のダイヤル信号が正常に受け付けられた場合には、前記通信回線に接続されたターミナルアダプタが無いと判定する回線種別判定処理を実行するステップと、
前記回線種別判定処理による判定結果に応じて、前記通信回線側へ送出する信号又は前記通信回線側から入来する信号の信号レベルを制御するステップと、
を有する通信方法。
【発明の詳細な説明】
【技術分野】
【０００１】
本発明は、通信装置及び通信方法に関する。本発明は、例えば、電話回線に接続可能な通信装置等に関する。
【背景技術】
【０００２】
通常、アナログ有線回線の交換局から家庭まで有る程度の距離があり、それに合わせた通話特性となっている。また昨今の光電話の普及により、光電話アダプタ等、回線終端装置に電話機が接続された場合、通信事業会社の設備から家庭まではデジタル回線で接続され、電話機側には光電話アダプタ等のターミナルアダプタ（ＴＡ：Ｔｅｒｍｉｎａｌ  Ａｄａｐｔｅｒ）が設置される。このように電話機は、距離を隔ててアナログ有線回線の交換局に接続される場合、あるいは家屋内に設置されるターミナルアダプタに接続される場合がある。
【０００３】
日本では、通常の固定電話回線は回線種別がＰＢ（Ｐｕｓｈ  Ｂｕｔｔｏｎ）／２０ｐｐｓ（ｐｕｌｓｅ  ｐｅｒ  ｓｅｃｏｎｄ）／１０ｐｐｓのいずれかの契約になっている。ＰＢ／２０ｐｐｓ／１０ｐｐｓのいずれかで発呼し、ダイヤルトーンが消えた場合に受け付けたと判断し、回線種別の判定が可能である。
【０００４】
たとえば特許文献１には、異なる信号形式、信号速度の選択信号を順次用いて所定の相手局を発呼し、相手局が応答した場合、その際の信号形式、信号速度を以後用いるよう発呼手段を制御することにより、接続される通信回線に適した発呼方式を設定可能にするものが開示されている。まず、ＤＴＭＦ（Ｄｕａｌ  Ｔｏｎｅ  Ｍｕｌｔｉ  Ｆｒｅｑｕｅｎｃｙ）モードを選択して特定の相手局の呼出を行う。極性反転検出回路が回線の極性反転を検出したときは以後の呼出にＤＴＭＦを用いることを登録する。また、極性反転がないときは、ダイヤルパルス発生器を用いて２０ｐｐｓの信号速度を用いてダイヤルする。極性反転があった場合は、以後は２０ｐｐｓの信号速度の選択信号を用いるようモ−ド設定を行う。
【０００５】
また特許文献２には、接続回線自動識別機能を通信装置に付加し、容易に電話回線の接続を行うと共に、電話回線の変更に対して使用者が速やかに設定変更を可能にするものが開示されている。また特許文献２には、接続回線が公衆回線と判別したとき、またはＰＢＸ回線と判別したときに、回線の種類と特性に応じて装置の設定をするものが開示されている。
【先行技術文献】
【特許文献】
【０００６】
【特許文献１】特開昭６３−２４８２６０号公報
【特許文献２】特開昭６３−１１７５４９号公報
【発明の概要】
【発明が解決しようとする課題】
【０００７】
しかしながら、特許文献１に示されているものは、異なる信号形式や速度の選択信号（ダイヤル信号）を順次用いてモ−ド設定を行うものであり、電話機がターミナルアダプタに接続されている場合については開示されていない。
【０００８】
特許文献２に示されているものは、接続回線が公衆回線と判別したとき、またはＰＢＸ（Ｐｒｉｖａｔｅ  Ｂｒａｎｃｈ  ｅＸｃｈａｎｇｅ）回線と判別したときに、回線の種類と特性に応じて装置を設定する。しかし、電話機が公衆回線やＰＢＸ回線に直接接続されるのではなく、電話機が設置されている家屋内に設置されるターミナルアダプタに接続されている場合についての解決はなされていない。
【０００９】
例えば、光電話アダプタと電話機とが接続された場合、光電話アダプタと電話機との距離は殆ど無いのと等しくなる。しかし、通常の電話機はある程度の線路ロスが入る通話特性としているため、距離が無くなると通話特性のバランスが崩れ、ハウリングや反響したような音になって音質が低下しやすくなる。
【００１０】
これまで家庭用の電話機においても、ユーザ設定のなかのＴＡ／スプリッター接続設定のメニューにおいて「有り」／「無し」を設定する構成をとっていたが、その操作をユーザに認知してもらえないことが多い。たとえばユーザが光電話の契約を結び、公衆回線と電話機との間に光電話アダプタを接続した場合、ＴＡ／スプリッター接続設定のメニューにおいて「有り」を設定して通話レベルを下げる必要がある。この場合、その操作をユーザが認知できないまま使い続けることが多くあり、音質が低下したままになるケースがあった。
【００１１】
本発明は、上記事情に鑑みてなされたものであって、ターミナルアダプタが存在する状態であっても、容易に回線種別設定でき、音質の劣化を抑制できる通信装置及び通信方法を提供する。
【課題を解決するための手段】
【００１２】
本発明の通信装置は、通信回線を介して通信する通信装置であって、前記通信回線側へ複数の種別のダイヤル信号を送信し、所定数以上の種別のダイヤル信号が正常に受け付けられた場合には、前記通信回線に接続されたターミナルアダプタが有ると判定し、前記所定数未満の種別のダイヤル信号が正常に受け付けられた場合には、前記通信回線に接続されたターミナルアダプタが無いと判定する回線種別判定処理を実行する回線種別判定部と、前記回線種別判定処理による判定結果に応じて、前記通信回線側へ送出する信号又は前記通信回線側から入来する信号の信号レベルを制御する信号レベル調整部と、を備える。
【００１３】
例えば、本発明の通信装置は、ターミナルアダプタに接続されているかどうかを検出する検出部を設ける。ＡＤＳＬ（Ａｓｙｍｍｅｔｒｉｃ  Ｄｉｇｉｔａｌ  Ｓｕｂｓｃｒｉｂｅｒ  Ｌｉｎｅ）ターミナルアダプタや光電話アダプタは通常、上記回線種別のどれでも受付が可能である。この特性を利用し、本発明の通信装置は、当該通信装置の設置時または設置後であってもターミナルアダプタに接続されているか、またはアナログ電話回線網の局交換機に直接接続されているかを自動で検出して回線種別設定を行い、その結果に応じて信号レベルを調整する調整部を有する。
【発明の効果】
【００１４】
本発明によれば、ターミナルアダプタが存在する状態であっても、容易に回線種別設定でき、音質の劣化を抑制できる。例えば、ユーザが回線種別設定を手動で行なわずに、ターミナルアダプタの有無を判定し、通話特性を改善することができる。
【図面の簡単な説明】
【００１５】
【図１】本発明の実施の形態に係るコードレス電話機の親機の一例を示すブロック図
【図２】本発明の実施の形態に係るコードレス電話機の子機の一例を示すブロック図
【図３】本発明の実施の形態に係る親機の機能を示す機能ブロック図
【図４】本発明の実施の形態に係る親機がターミナルアダプタに接続されている状態を示すブロック図
【図５】本発明の実施の形態に係る親機の回線種別判定処理を示すフローチャート
【図６】本発明の実施の形態に係る親機の回線種別判定処理の結果および結果表示を含むフローチャート
【図７】本発明の実施の形態に係る回線種別判定処理における親機と電話回線側との信号のやりとり、および親機内での処理を表すシーケンスチャート
【発明を実施するための形態】
【００１６】
（本発明の一態様の概要）
本発明の一態様の通信装置は、通信回線を介して通信する通信装置であって、前記通信回線側へ複数の種別のダイヤル信号を送信し、所定数以上の種別のダイヤル信号が正常に受け付けられた場合には、前記通信回線に接続されたターミナルアダプタが有ると判定し、前記所定数未満の種別のダイヤル信号が正常に受け付けられた場合には、前記通信回線に接続されたターミナルアダプタが無いと判定する回線種別判定処理を実行する回線種別判定部と、前記回線種別判定処理による判定結果に応じて、前記通信回線側へ送出する信号又は前記通信回線側から入来する信号の信号レベルを制御する信号レベル調整部と、を備える。
【００１７】
これによって、ターミナルアダプタが存在する状態であっても、容易に回線種別設定でき、音質の劣化を抑制できる。
【００１８】
また、本発明の一態様の通信装置は、前記回線種別判定部が、前記通信回線側へ複数の種別のダイヤル信号を送信し、全種別のダイヤル信号が正常に受け付けられた場合には、前記ターミナルアダプタが有ると判定し、少なくとも一つの種別のダイヤル信号が正常に受け付けられない場合には、前記ターミナルアダプタは無いと判定する。
【００１９】
これによって、ユーザによってターミナルアダプタの有無を設定する作業を行う必要がなく、ターミナルアダプタの有無を判定して通話特性を改善することができる。
【００２０】
また、本発明の一態様の通信装置は、前記回線種別判定部は、ダイヤル信号として、ＤＴＭＦ信号、１０パルス毎秒方式のパルス信号、及び２０パルス毎秒方式のパルス信号を前記通信回線側へ送信し、各ダイヤル信号に対する各応答信号に基づいて、全種別のダイヤル信号が正常に受け付けられたか否かを判定する。
【００２１】
これによって、ユーザが各種のダイヤル信号を発信して正常に受け付けられたか否かを判定する必要なく、ターミナルアダプタの有無を判定して通話特性を改善することができる。
【００２２】
また、本発明の一態様の通信装置は、商用電源より得た電力を供給するための電源部を有し、前記回線種別判定部が、前記電源部により電力が投入されたことが検出された場合、前記回線種別判定処理を実行する。
【００２３】
これによって、ユーザが意識せずに通話特性を改善することができる。
【００２４】
また、本発明の一態様の通信装置は、前記回線種別判定部が、当該通信装置への前記通信回線の接続が検出された場合、前記回線種別判定処理を実行する。
【００２５】
これによって、ユーザが操作することなく、容易に回線種別設定でき、通話特性を改善することができる。
【００２６】
また、本発明の一態様の通信装置は、前記回線種別判定部が、前記回線種別判定モードが所定のモードに設定された場合、前記回線種別判定処理を実行し、前記回線種別判定処理による判定結果を表示部に表示させる。
【００２７】
これによって、ユーザが例えば回線種別判定モードとして自動モードを選ぶことにより、回線種別（例えばＰＢ／２０ｐｐｓ／１０ｐｐｓ）設定を容易化でき、通話特性を改善することができる。
【００２８】
本発明の一態様の通信方法は、通信回線を介して通信する通信装置における通信方法であって、前記通信回線側へ複数の種別のダイヤル信号を送信し、所定数以上の種別のダイヤル信号が正常に受け付けられた場合には、前記通信回線に接続されたターミナルアダプタが有ると判定し、前記所定数未満の種別のダイヤル信号が正常に受け付けられた場合には、前記通信回線に接続されたターミナルアダプタが無いと判定する回線種別判定処理を実行するステップと、前記回線種別判定処理による判定結果に応じて、前記通信回線側へ送出する信号又は前記通信回線側から入来する信号の信号レベルを制御するステップと、を有する。
【００２９】
これによって、ターミナルアダプタが存在する状態であっても、容易に回線種別設定でき、音質の劣化を抑制できる。
【００３０】
以下、本発明の実施の形態について説明する。実施の形態に係る通信装置の構成例について説明する。図１は本実施の形態に係るコードレス電話機の親機の一例を示すブロック図である。また図２は同コードレス電話機の子機の一例を示すブロック図である。図１および図２に沿って本実施例における通信装置の回路構成について説明する。なお、コードレス電話機は、通信装置の一例である。
【００３１】
本実施形態におけるコードレス電話機は、公衆回線と接続する親機Ａと、この親機Ａと無線により通信する子機Ｂ（図２参照）とを備える。まず、親機Ａの構成および機能について説明する。図１は、親機Ａがアナログ公衆回線の局交換機Ｃにつながるメタル線に接続された場合を示す。
【００３２】
親機Ａは、回線インターフェース（ＴＥＬ  ｌｉｎｅ  Ｉｎｔｅｒｆａｃｅ）１及び信号処理部（ＤＳＰ（Ｄｉｇｉｔａｌ  Ｓｉｇｎａｌ  Ｐｒｏｃｅｓｓｏｒ）  ＩＣ（Ｉｎｔｅｇｒａｔｅｄ  Ｃｉｒｃｕｉｔ））２を備える。また、親機Ａは、格納部（例えばフラッシュメモリ（Ｆｌａｓｈ  ｍｅｍｏｒｙ））３、無線部（ＲＦ（Ｒａｄｉｏ  Ｆｒｅｑｕｅｎｃｙ）  Ｐａｒｔ）４、及びアンテナ（Ａｎｔｅｎｎａ）５を備える。また、親機Ａは、表示部（例えばＬＣＤ（Ｌｉｑｕｉｄ  Ｃｒｙｓｔａｌ  Ｄｉｓｐｌａｙ））６、操作部（例えば操作キー（Ｋｅｙｓ））７、マイクロフォン（Ｍｉｃｒｏｐｈｏｎｅ）８、スピーカ（Ｓｐｅａｋｅｒ）９、及び電源部１０を備える。
【００３３】
回線インターフェース１は、電話回線（公衆回線の一例、通信回線の一例）と親機Ａとを接続する回路であり、局交換機ＣまたはターミナルアダプタＴＡとの間で回線インピーダンスの整合を行う回路およびブリッジ回路を含む。局交換機ＣまたはターミナルアダプタＴＡは、電話回線端子（Ｔ），（Ｒ）に接続される電話回線に接続される。また回線インターフェース１は、電話回線端子（Ｔ），（Ｒ）に送られるＲｉｎｇ信号（リング信号）を受けて着信や終話を物理的に検知し、又は回線の物理的な閉結および開放を行う。
【００３４】
また回線インターフェース１は、直流電流の断続を行うことにより、ダイヤルパルスのＤＰ（Ｄｉａｌ  Ｐｕｌｓｅ）１０パルス信号、またはダイヤルパルスのＤＰ２０パルス信号を、電話回線に接続される局交換機ＣまたはターミナルアダプタＴＡに送信する。また回線インターフェース１は、ＣａｌｌｅｒＩＤ信号の受信、あるいは通話信号の送信および受信を行う。
【００３５】
信号処理部（ＤＳＰ  ＩＣ）２は、音声処理および通信装置全体の動作を制御する回路であり、後述するアナログマルチプレクサ（Ａｎａｌｏｇ  Ｍｕｌｔｉ−Ｐｌｅｘｅｒ）２ａ、コーデック（ＣＯＤＥＣ）２ｂ、及びデジタルスピーチプロセッサ２ｃを含む。また、信号処理部２は、後述する音声符号化／復号化処理部（ＡＤＰＣＭ：Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）２ｄを含む。また、信号処理部２は、後述する時分割多重処理部（ＴＤＤ＆ＴＤＭＡ（Ｔｉｍｅ  Ｄｉｖｉｓｉｏｎ  Ｄｕｐｌｅｘ  ＆  Ｔｉｍｅ  Ｄｉｖｉｓｉｏｎ  Ｍｕｌｔｉｐｌｅ  Ａｃｃｅｓｓ）  Ｐｒｏｃｅｓｓｏｒ）２ｅを含む。
【００３６】
格納部３は、信号処理部２が書き込みや参照を行うメモリであり、電話番号や相手先名から成る電話帳や、デジタルスピーチプロセッサ２ｃの動作に必要なプログラム等を格納している。
【００３７】
無線部４は、子機Ｂとの間の無線通信を行うための無線回路であり、アンテナ５に誘起した無線電波信号を受信して信号処理部２に供給し、また信号処理部２から供給される信号を無線信号に変換してアンテナ５へ送り、送信処理を行う。
【００３８】
表示部６は、例えば液晶を利用した表示装置であり、信号処理部２からの制御に基づいて各種表示を行う。例えば、表示部６は、親機Ａを設置する際の回線種別判定に関する表示、すなわち、図５のＳｔｅｐ１１に示す案内を表示、また図６のＳｔｅｐ１４〜２０に示す案内を表示する。親機Ａの設置には、例えば親機Ａの通信回線への接続又は再接続を含む。
【００３９】
操作部７は、「ダイヤル」キー、「保留」キー、「通話」キー等を含む。また操作部７は、ダイヤル入力の他、親機Ａを設置する際の初期設定および回線種別判定に関する設定を指示することができる。例えば、ユーザが操作部７を操作して回線種別判定モードを「自動モード」に設定した場合に、信号処理部２が、その設定操作の直後、電源投入時、または電話線接続時に回線種別判定処理を起動し、判定結果を表示部６に表示する。
【００４０】
マイクロフォン８は、不在メッセージ等を録音し、またはハンズフリー通話（送受話器を手に持つことなく通話すること）を行う場合にユーザからの音声を入力する。
【００４１】
スピーカ９は、着信時の呼び出し音を鳴らし、信号処理部２から供給されるＣａｌｌｅｒＩＤ信号に対応する電話番号および名前を発声する。また、このスピーカ９は、ハンズフリー通話を行う場合に通話相手の音声を出力する。
【００４２】
電源部１０は、商用電源より得た電力を元に、各部へ所定の電圧で直流電力を供給する。
【００４３】
ここで、信号処理部２の構成について詳細に説明する。
【００４４】
アナログマルチプレクサ２ａは、複数の入力信号から１つの信号を選択して出力する回路であり、例えば、回線インターフェース１とマイクロフォン８とからの入力を切り換えて、コーデック２ｂに出力する。このアナログマルチプレクサ２ａは、図１では、回線インターフェース１、マイクロフォン８、スピーカ９、コーデック２ｂとの間で入出力するアナログ音声信号の通路を切り換える。
【００４５】
コーデック２ｂは、アナログ信号とデジタル信号との変換を行うコーデックである。このコーデック２ｂは、マイクロフォン８や回線インターフェース１を経由して電話回線から到来する音声帯域のアナログ信号をデジタル信号に変換または逆変換する。
【００４６】
デジタルスピーチプロセッサ２ｃは、ＣＰＵ等を含む電子回路であり、バス（信号線）を介して格納部３等の格納装置や操作部７等の入出力回路に接続されて、デジタル音声信号に対して種々の処理を行う。
【００４７】
音声符号化／復号化処理部（ＡＤＰＣＭ）２ｄは、子機Ｂとの通信に用いる音声を符号化／復号化するための処理部である。ここでは、一例として、適応量子化を用いた符号化の１つである適応差分ＰＣＭ（ＡＤＰＣＭ）を用いている。
【００４８】
時分割多重処理部２ｅは、子機Ｂとの間で時分割通信するための通信方式を実現するための処理部であり、子機Ｂから親機Ａへの通信（上り通信）と、その逆、親機Ａから子機Ｂへの通信（下り通信）を分けるために、時間を区切って通信する。
【００４９】
以上が信号処理部２の構成であるが、デジタルスピーチプロセッサ２ｃは、格納部３に格納された制御プログラムを読み込み実行することにより、例えば、次のサービスに対応した動作を行うことが可能となる。
【００５０】
図３は信号処理部２の機能構成例を示すブロック図である。すなわち信号処理部２は、呼出信号検知部２ｆ、ダイヤルトーン検出部２ｇ、ＤＴＭＦ信号送受信部２ｈ、回線種別判定部２ｉ、ダイヤル発信部２ｊ、信号レベル調整部２ｋの各機能を備えている。
【００５１】
呼出信号検知部２ｆは、回線インターフェース１からの検出信号によって呼び出しのためのリング信号の入来を認識する。
【００５２】
ダイヤルトーン検出部２ｇは、電話回線に接続された局交換機Ｃからの応答信号を判別する。
【００５３】
ＤＴＭＦ信号送受信部２ｈは、デジタルデータを電話回線で伝送するためにアナログ信号に変調し、アナログ信号からデジタルデータを復調する変復調を行う。
【００５４】
回線種別判定部２ｉは、親機Ａに接続されている通信回線の回線種別を判定する。例えば、回線種別判定部２ｉは、電話回線端子（Ｔ），（Ｒ）にターミナルアダプタＴＡが接続されている事を検出する。
【００５５】
ダイヤル発信部２ｊは、発呼要求が生じると、回線インターフェース１に電話回線の閉結を指示する。この場合、局交換機Ｃから応答信号が送信され、ダイヤルトーン検出部２ｇが応答信号を受信すると、ＤＴＭＦ信号送受信部２ｈがダイヤル発信を行う。または、親機Ａにパルスダイヤル回線が接続されている場合、ダイヤル発信部２ｊは、局交換機Ｃから応答信号を検出すると、回線インターフェース１の制御信号を局交換機Ｃへ送って、パルスダイヤル発信を行う。
【００５６】
信号レベル調整部２ｋは、送信信号レベルおよび入来信号を増幅するゲイン等を調整する。信号レベル調整部２ｋが動作している場合は、電話回線端子（Ｔ），（Ｒ）から外（局交換機Ｃ側）を見たインピーダンスに応じて、送信信号レベルおよび入来信号を増幅するゲイン等を切り替える。電話回線端子（Ｔ），（Ｒ）が遠方の局交換機Ｃに接続されている場合、減衰を補償できるように信号の送信強度を上げ、また入来する信号（例えば音声信号またはＤＴＭＦ等による制御信号）を高いゲインで増幅する。
【００５７】
ただし、図４に示すように電話回線端子（Ｔ），（Ｒ）にターミナルアダプタＴＡが接続されている場合、信号レベル調整部２ｋが動作していると、送信信号レベルが必要以上に強い、または入来信号を必要以上に大きく増幅することがあり得る。
【００５８】
図４は、本コードレス電話機の親機ＡをターミナルアダプタＴＡに接続した場合の構成例を示すブロック図である。ターミナルアダプタＴＡを介してＡＤＳＬ等によって局交換機Ｅに接続された場合には、ターミナルアダプタＴＡから呼び出しのために信号が公衆回線網へ出力される。
【００５９】
次に、子機Ｂの構成および機能について説明する。
図２は子機Ｂの構成例を示すブロック図である。子機Ｂは、信号処理部２０、格納部（例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１１、無線部１２、及びアンテナ１３を備える。また、子機Ｂは、表示部（ＬＣＤ）１４、操作部１５、マイクロフォン１６、スピーカ１７、及びリンガー用スピーカ１８を備える。
【００６０】
子機Ｂの構成は、次のように親機Ａと対応している。例えば、信号処理部２０は親機Ａの信号処理部２と、格納部１１は親機Ａの格納部３と、無線部１２は、親機Ａの無線部４と、アンテナ１３は親機Ａのアンテナ５と、対応して同等の機能を有している。よって、その対応部分の説明は省略する。更に、スピーカ１７は、通常通話時の通話相手の音声を出力する通話用スピーカである。リンガー用スピーカ１８は、着信時の呼び出し音を鳴らす。
【００６１】
この通信装置（子機Ｂ）に通話相手からの呼び出しがあると、局交換機Ｃから呼制御手順に従い、Ｒｉｎｇ信号等の呼び出し信号が親機Ａの回線インターフェース１に送信されてくる。この呼び出し信号は、アナログマルチプレクサ２ａ、コーデック２ｂを経由して、デジタルスピーチプロセッサ２ｃに受け取られると、着信が検知され、音声符号化／復号化処理部２ｄを経由して子機Ｂに送信される。
【００６２】
子機Ｂは、アンテナ１３が受信した親機Ａからのデータを無線部１２が受信処理し、信号処理部２０が時分割多重処理、呼制御処理、及び音声復号化処理を行なって、呼び出し信号をリンガー用スピーカ１８が音声出力する。受信処理では、例えば、図示しない変復調部により受信されたデータを復調する。
【００６３】
呼び出しに応答するため、操作部１５の「通話」キーをユーザが押下すると、信号処理部２０は、「通話」キー押下を検知し、呼制御処理によるｃｏｎｎｅｃｔ信号を上述の経路とは逆の経路を通して親機Ａに送信する。
【００６４】
子機Ｂからのｃｏｎｎｅｃｔ信号を受信した親機Ａは、上述の呼び出し経路とは逆の経路を通して、公衆回線（通話相手）に送信することにより、通話状態に遷移する。
【００６５】
この通話状態では、通話相手からの通話音声信号は、上述の経路を経由して子機Ｂに送信される。子機Ｂは、アンテナ１３で受信した親機Ａからのデータを無線部１２で受信処理し、信号処理部２０が時分割多重処理、呼制御処理、及び音声復号化処理を行なって、通話音声信号がスピーカ１７から音声出力する。受信処理では、例えば、図示しない変復調部により受信されたデータを復調する。
【００６６】
また、子機Ｂから通話相手への送話は、マイクロフォン１６から入力した音声を上述の音声出力とは逆の経路を通して、親機Ａを介して公衆回線に送信する。以上のプロセスにより、通話相手と子機Ｂとは通話を継続する。
【００６７】
更に、子機Ｂから終話する場合、操作部１５の「終了」キーをユーザが押下すると、信号処理部２０は、「終了」キー押下を検知し、呼制御処理による終話音を親機Ａへ送信する。子機Ｂからの終話音を受信した親機Ａの信号処理部２は、上述の呼び出し経路とは逆の経路を通して通話相手へ終話を通知すると共に、回線インターフェース１を制御して直流ループを切断することにより、局交換機Ｃとの通話路を切断する。
【００６８】
次に、図４に示すように、本通信装置（親機Ａ）の電話回線端子（Ｔ），（Ｒ）がターミナルアダプタＴＡに接続されている場合の制御動作について説明する。
【００６９】
信号処理部２は、番号データや制御の為のメッセージ等を電話回線側へ送信する場合、回線インターフェース１をオフフック状態に制御する。この場合、ターミナルアダプタＴＡの内部の電流源により電話回線端子（Ｔ），（Ｒ）に直流ループが生じ、オフフック状態となる。その後、ターミナルアダプタＴＡと親機Ａとは、番号データや制御の為のメッセージ等の送受信を開始する。
【００７０】
また着信の場合、まずターミナルアダプタＴＡは、親機Ａに対してリング信号を送信る。親機Ａの電話回線端子（Ｔ），（Ｒ）にリング信号が印加されると、回線インターフェース１でリング信号を検出する。検出信号は、信号処理部２へ送られる。信号処理部２が回線インターフェース１をオフフック状態に制御すると、ターミナルアダプタＴＡの内部の電流源により電話回線端子（Ｔ），（Ｒ）に直流ループが生じ、回線インターフェース１がオフフック状態となる。その後、ターミナルアダプタＴＡと親機Ａとは、番号データや制御の為のメッセージ等の送受信を開始する。
【００７１】
なお、ターミナルアダプタＴＡとしては公知のもので良い。ターミナルアダプタＴＡは、局交換機Ｅとの間でのＡＤＳＬによる通信機能、電話端末（親機Ａ）側の電話回線端子（Ｔ），（Ｒ）に直流ループを流す電流源の機能、及び電話回線端子（Ｔ），（Ｒ）にＲｉｎｇ信号を印加する機能を備える。また、ターミナルアダプタＴＡは、電話端末側との間で音声信号を送受信する機能、及びＤＴＭＦ信号送受信の機能を備える。また、ターミナルアダプタＴＡは、パルスダイヤルの電話端末にも対応できるように、ＤＰ１０およびＤＰ２０のパルスダイヤル信号を受ける機能を備える。また、ターミナルアダプタＴＡは、ＡＤＳＬに限らす、光通信を使う光電話アダプタ、あるいはＩＳＤＮ回線のためのものでも良い。
【００７２】
なお、ＤＰ１０とは、１０パルス毎秒方式のダイヤルパルス方式であることを示す。また、ＤＰ２０とは、２０パルス毎秒方式のダイヤルパルス方式であることを示す。
【００７３】
以下、図５を用いて、回線種別判定処理について説明する。
【００７４】
まず、Ｓｔｅｐ１にて、信号処理部２は、回線オフフック状態にしてループ閉成にする。
【００７５】
次に、Ｓｔｅｐ２にて、回線電流が流れるか否かの検知を行う。回線電流が流れていることが検知された場合は（Ｓｔｅｐ２：ＹＥＳ）、Ｓｔｅｐ３にて、信号処理部２は、ダイヤルトーンの発信音が入来するか否かを判定する。ダイヤルトーンが連続１ｓｅｃの間検出された場合に、信号処理部２は、ダイヤルトーン有りと確定する。
【００７６】
ダイヤルトーン有りと確定された場合は（Ｓｔｅｐ３：ＹＥＳ）、信号処理部２は、アナログ公衆回線の局交換機ＣまたはターミナルアダプタＴＡに正常に接続された状態であると判定する。
【００７７】
続いて、Ｓｔｅｐ４にて、信号処理部２は、判定のためのダイヤル信号“０”を回線側へ送出する。ダイヤル信号には、３つの種別、すなわちプッシュボタン信号（ＰＢ信号）、ダイヤルパルスのＤＰ１０パルス信号、及びＤＰ２０パルス信号が含まれ、図５のフローを回す毎に信号の種別を切り替えながら順次送信する。最初はプッシュボタン信号（ＰＢ信号）を送信する。
【００７８】
次に、Ｓｔｅｐ５にて、信号処理部２は、ダイヤルトーンが停止して無音になったか否かを判定する。信号処理部２は、ダイヤル信号の送出が完了してから、安定待ち１ｓｅｃタイマーを起動し、このタイマーが満了した後、ＤＴ（Ｄｉａｌ  Ｔｏｎｅ）検知時間の５ｓｅｃの間ダイヤルトーンが検知され続けるか、あるいは無音になったか否かを判定する。
【００７９】
Ｓｔｅｐ４にて送信したダイヤル信号が局交換機ＣまたはターミナルアダプタＴＡによって正常に受信された場合、局交換機ＣまたはターミナルアダプタＴＡは、ダイヤルトーンの送出を停止する。ダイヤル信号が局交換機ＣまたはターミナルアダプタＴＡによって正常に受信されなかった場合は、ダイヤルトーンは停止せずに続く。
【００８０】
信号処理部２は、ＤＴ検知時間の５ｓｅｃの間にダイヤルトーンが持続するか、または停止するかを判定し、Ｓｔｅｐ６にて、その回のダイヤル信号“０”に関連する判定結果を保存する。たとえば、信号処理部２は、ＰＢ信号を送信してダイヤルトーンが停止した場合には、ＰＢ信号に対応する判定結果として、無音になったことを意味する「ＯＫ」と記録する。ダイヤルトーンが停止しない場合には、信号処理部２は、ＰＢ信号に対応する判定結果として「ＮＧ」と記録する。
【００８１】
Ｓｔｅｐ７では、信号処理部２は、回線をオフフック状態にしてループ開放し、その後安定するまで待つための３ｓｅｃタイマーを起動する。
【００８２】
Ｓｔｅｐ８では、信号処理部２は、全種別のダイヤル信号について判定が終了したか否かをチェックし、全種別について終了していない場合には、次のダイヤル信号についての判定を開始するためにＳｔｅｐ１に戻る。
【００８３】
全種別のダイヤル信号について判定が終了している場合は、Ｓｔｅｐ１０の判定結果の処理および結果表示の処理に移行する（図６）。
【００８４】
最初にＰＢ信号による判定を行った後、信号処理部２は、Ｓｔｅｐ８では全種別のダイヤル信号について判定が終了したか否かをチェックし、全種別について終了していない場合にはＳｔｅｐ１に戻り、次にダイヤルパルスのＤＰ１０パルス信号による判定を行う。
【００８５】
ＤＰ１０パルス信号を送信してダイヤルトーンが停止した場合には、Ｓｔｅｐ６にて、信号処理部２は、ＤＰ１０パルス信号に対応する判定結果として、「ＯＫ」と記録する。ダイヤルトーンが停止しない場合には、信号処理部２は、ＤＰ１０パルス信号に対応する判定結果として、「ＮＧ」と記録する。
【００８６】
その後、全種別について終了していない場合には、Ｓｔｅｐ１に戻り、信号処理部２は、次にダイヤルパルスのＤＰ２０パルス信号による判定を行う。ＤＰ２０パルス信号を送信してダイヤルトーンが停止した場合には、Ｓｔｅｐ６にて、信号処理部２は、ＤＰ２０パルス信号に対応する判定結果として、「ＯＫ」と記録する。ダイヤルトーンが停止しない場合には、信号処理部２は、ＤＰ２０パルス信号に対応する判定結果として、「ＮＧ」と記録する。
【００８７】
なお、回線オフフックの後、Ｓｔｅｐ２にて回線電流の検知を行った際に回線電流が流れていない場合は（Ｓｔｅｐ２：ＮＯ）、信号処理部２は、エラー音鳴動を行わせる。また、Ｓｔｅｐ１１にて、信号処理部２は、表示部６に例えば「デンワキ  コードヲ  セツゾクシテクダサイ」のように表示させ、ユーザに接続の確認を促す。その後、回線電流が流れれば（Ｓｔｅｐ１２：ＹＥＳ）、Ｓｔｅｐ１に戻る。
【００８８】
以下、図６を用いて、回線種別判定処理の判定結果および結果表示について説明する。
【００８９】
図５のＳｔｅｐ６にて記録された判定結果において、全ての種別のダイヤル信号について判定が「ＯＫ」である場合（Ｓｔｅｐ１３：Ｙｅｓ）は、信号処理部２は、親機Ａの電話回線端子（Ｔ），（Ｒ）にはターミナルアダプタＴＡが接続されていると判定する。この場合には、親機Ａの信号処理部２は、プッシュボタン信号（ＰＢ信号）を使うモードに設定し、表示部６に例えば「プッシュカイセン」と表示させる（Ｓｔｅｐ１４）。
【００９０】
図５のＳｔｅｐ６にて記録された判定結果において、ＰＢ信号のみで判定が「ＯＫ」である場合（Ｓｔｅｐ１５：Ｙｅｓ）は、信号処理部２は、親機Ａの電話回線端子（Ｔ），（Ｒ）にはターミナルアダプタＴＡではなく、アナログ公衆回線の局交換機Ｃに接続されていると判定する。この場合にも、親機Ａの信号処理部２は、プッシュボタン信号（ＰＢ信号）を使うモードに設定し、表示部６に例えば「プッシュカイセン」と表示させる（Ｓｔｅｐ１６）。
【００９１】
図５のＳｔｅｐ６にて記録された判定結果において、ＤＰ２０パルス信号での判定が「ＯＫ」である場合（Ｓｔｅｐ１７：Ｙｅｓ）は、信号処理部２は、親機Ａの電話回線端子（Ｔ），（Ｒ）にはターミナルアダプタＴＡではなく、アナログ公衆回線の局交換機Ｃに接続されていると判定し、ＤＰ２０パルス信号によるダイヤル信号の送信が可能であると判定する。この場合は、親機Ａの信号処理部２は、ＤＰ２０パルス信号を使うモードに設定し、表示部６に例えば「ダイヤルカイセン  ２０」と表示させる（Ｓｔｅｐ１８）。
【００９２】
図５のＳｔｅｐ６にて記録された判定結果において、ＤＰ１０パルス信号での判定のみが「ＯＫ」である場合（Ｓｔｅｐ１９：Ｙｅｓ）は、信号処理部２は、親機Ａの電話回線端子（Ｔ），（Ｒ）にはターミナルアダプタＴＡではなく、アナログ公衆回線の局交換機Ｃに接続されていると判定し、またＤＰ１０パルス信号によるダイヤル信号の送信が可能であると判定する。この場合は、親機Ａの信号処理部２は、ＤＰ１０パルス信号を使うモードに設定し、表示部６に例えば「ダイヤルカイセン  １０」と表示させる（Ｓｔｅｐ２０）。
【００９３】
ダイヤル信号の全ての種別についての判定結果が「ＯＫ」でない場合（Ｓｔｅｐ１９：Ｎｏ）は、信号処理部２は、例えば、エラー音を鳴動させ、表示部６に例えば「エラーデス」と表示させる（Ｓｔｅｐ２１）。
【００９４】
以下、信号レベル調整部２ｋの動作について説明する。
図５のＳｔｅｐ６にて記録された判定結果において、親機Ａの電話回線端子（Ｔ），（Ｒ）にはターミナルアダプタＴＡが接続されていると判定された場合、信号処理部２は、ＴＡ／スプリッタ設定をオンにする。ＴＡ／スプリッタ設定がオンの場合、信号レベル調整部２ｋは、ＴＡモードとなる。
【００９５】
ターミナルアダプタＴＡから親機Ａの電話回線端子（Ｔ），（Ｒ）に入来する信号強度は十分に強いので、親機Ａでの増幅はほぼ必要はない。またターミナルアダプタＴＡがある場合、親機Ａの電話回線端子（Ｔ），（Ｒ）から出力される信号は、ほぼ減衰なしでターミナルアダプタＴＡへ入力される。従って、ターミナルアダプタＴＡへ送り出す信号は、局交換機Ｃへ送る場合に比べて、信号強度を下げる必要がある。ＴＡモードでは、信号処理部２は、ターミナルアダプタＴＡが有る場合に適切な所定の信号レベルで送信し、また入来する信号を適切な所定のゲインで増幅する。
【００９６】
なお、以上の回線種別判定処理は、例えばユーザが操作部７を操作して回線種別判定モードを「自動モード」に設定した場合に、その設定操作の直後に起動されてもよい。また回線種別判定モードを「自動モード」に設定している場合には、電源部１０により電力が投入されたことが検出された時、あるいは回線インターフェース１により通信線の接続が為されたことが検出されたときに、起動されてもよい。
【００９７】
以下、図７は、図６に示す回線種別判定処理における親機Ａと、電話回線側すなわち局交換機Ｃ又はターミナルアダプタＴＡと、の信号のやりとり、および親機Ａ内での処理を表すシーケンスチャートである。なお、図７において、「回線」は、例えば回線に接続された局交換機Ｃ又はＴＡを含み、「通信装置」は例えば電話装置を含む。
【００９８】
まず、信号処理部２が、回線オフフック状態にしてループ閉成すると、電話回線側からダイヤルトーンの発信音が入来する。信号処理部２は、ダイヤルトーンが検出されると、タイマを起動し、ダイヤルトーンが連続１ｓｅｃの間検出されたか否かを判定する。ダイヤルトーン有りと確定すれば（ＤＴ確定）、信号処理部２は、判定のためのダイヤル信号“０”を回線側へ送出させる。信号処理部２は、最初に、プッシュボタン信号（ＰＢ信号）を送出させる。
【００９９】
ダイヤル信号の送出が完了（内部ＥＶＴ）してから、信号処理部２は、安定待ち１ｓｅｃタイマーを起動し、このタイマーが満了した後、ＤＴ検知時間の５ｓｅｃの間に無音になったか否かを判定する。その後、信号処理部２は、ダイヤル信号に関連する判定結果を保存する。
【０１００】
一つのダイヤル信号に関連する判定結果を保存すると、信号処理部２は、回線をオフフック状態にしてループ開放し、その後３ｓｅｃタイマーの満了を待って、再びループ閉成し、次のダイヤル信号についての判定を開始する。以降、信号処理部２は、ダイヤルパルスのＤＰ１０パルス信号、ＤＰ２０パルス信号の順にダイヤル信号“０”を回線側へ送出させ、無音になったか否かを判定し、各ダイヤル信号に関連する判定結果を保存する。
【０１０１】
以上のように本実施の形態では、ユーザがメニュー操作で回線種別判定を自動モードと選択した場合、親機Ａは、ターミナルアダプタＴＡの有無を判定し、回線種別（ＰＢ／２０／１０）設定と通話特性を改善することができる。また電源が投入された時、あるいは回線が接続されたことが検知された時にも回線種別判定処理を起動し、ターミナルアダプタＴＡの有無を判定し、通話特性を改善することができる。
【０１０２】
本発明は、上記実施形態の構成に限られるものではなく、特許請求の範囲で示した機能、または本実施形態の構成が持つ機能が達成できる構成であれば、どのようなものであっても適用可能である。
【産業上の利用可能性】
【０１０３】
本発明は、ターミナルアダプタが存在する状態であっても、容易に回線種別設定でき、音質の劣化を抑制できる通信装置及び通信方法等に有用である。例えば、アナログ有線回線に接続可能な電話機やファクシミリ付き電話機であって、ＡＤＳＬターミナルアダプタや光電話アダプタなどのターミナルアダプタに接続しても使用できる通信装置として有用である。
【符号の説明】
【０１０４】
Ａ  親機
Ｂ  子機
Ｃ，Ｅ  局交換機
１  回線インターフェース
２  信号処理部
２ａ  アナログマルチプレクサ
２ｂ  コーデック
２ｃ  デジタルスピーチプロセッサ
２ｄ  ＡＤＰＣＭ部
２ｅ  時分割多重処理部
２ｆ  呼出信号検知部
２ｇ  ダイヤルトーン検出部
２ｈ  ＤＴＭＦ信号送受信部
２ｉ  回線種別判定部
２ｊ  ダイヤル発信部
２ｋ  信号レベル調整部
３  格納部
４  無線部
６  表示部
７  操作部
８  マイクロフォン
９  スピーカ
１０  電源部
（Ｔ），（Ｒ）  電話回線端子
ＴＡ  ターミナルアダプタ
１１  格納部
１２  無線部
１３  アンテナ
１４  表示部
１５  操作部
１６  マイクロフォン
１７  通話用スピーカ
１８  リンガー用スピーカ
２０  信号処理部
【図１】
2014216889.tif 000003
【図２】
2014216889.tif 000004
【図３】
2014216889.tif 000005
【図４】
2014216889.tif 000006
【図５】
2014216889.tif 000007
【図６】
2014216889.tif 000008
【図７】
2014216889.tif 000009